(57)【要約】  マルチターンコイルと、切替スイッチと、近距離無線通信ＮＦＣマッチング回路と、カメラ用サブボードとを含むマルチターンコイルマルチプレクス回路が提供され、切替スイッチが共用ポートと、第１ポートと、第２ポートとを含み、マルチターンコイルが前記共用ポートに接続され、ＮＦＣマッチング回路が第１ポートに接続され、カメラ用サブボードが第２ポートに接続され、カメラ制御信号があった時に、第２ポートが連通され、マルチターンコイルがカメラ用サブボードにおけるカメラの集束コイルとして使用され、カメラ制御信号がない時に、第１ポートが連通され、マルチターンコイルがＮＦＣマッチング回路におけるＮＦＣアンテナとして使用される。本開示の実施例において、ＮＦＣアンテナがマザーボードに直接に統合されて、バッテリーカバーの着脱によるＮＦＣアンテナの接点の接触不良が避けられて、ＮＦＣアンテナの安定性が向上した。【選択図】図１
2016501485.tif 000002
【特許請求の範囲】
【請求項１】
マルチターンコイルと、切替スイッチと、近距離無線通信ＮＦＣマッチング回路と、カメラ用サブボードとを含み、
前記切替スイッチが共用ポートと、第１ポートと、第２ポートとを含み、
前記マルチターンコイルが前記共用ポートに接続され、前記ＮＦＣマッチング回路が前記第１ポートに接続され、前記カメラ用サブボードが前記第２ポートに接続され、
カメラ制御信号があった時に、前記第２ポートが連通され、前記マルチターンコイルが前記カメラ用サブボードにおけるカメラの集束コイルとして使用され、
カメラ制御信号がない時に、前記第１ポートが連通され、前記マルチターンコイルが前記ＮＦＣマッチング回路におけるＮＦＣアンテナとして使用されることを特徴とするマルチターンコイルマルチプレクス回路。
【請求項２】
ＣＰＵとＮＦＣチップとをさらに含み、
前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記ＮＦＣチップが前記ＮＦＣ制御信号によってＮＦＣ信号を生成するために用いられ、
カメラ起動トリガーイベントが検出された時に、前記ＣＰＵがカメラ制御信号及び第２ポート連通信号を出力して、前記切替スイッチが第２ポートに切替えられるように制御し、前記第２ポートが連通された時に、前記カメラ用サブボードが前記ＣＰＵから出力されたカメラ制御信号によって前記マルチターンコイルに流している電流を調節し、
カメラ停止トリガーイベントが検出された時に、前記ＣＰＵがカメラ制御信号の出力を停止し、第１ポート連通信号を出力して、前記切替スイッチが第１ポートに切替えられるように制御し、前記第１ポートが連通された時に、前記ＮＦＣマッチング回路が前記ＮＦＣチップから出力されたＮＦＣ信号によって前記マルチターンコイルの共振を調節することを特徴とする請求項１に記載のマルチターンコイルマルチプレクス回路。
【請求項３】
前記マルチターンコイルがマザーボードに設けられたことを特徴とする請求項１又は請求項２に記載のマルチターンコイルマルチプレクス回路。
【請求項４】
前記マルチターンコイルの長さがＮＦＣ動作周波数における電磁波の波長の１／４であることを特徴とする請求項１又は請求項２に記載のマルチターンコイルマルチプレクス回路。
【請求項５】
マルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続されているマルチターンコイルマルチプレクス回路の制御方法において、
カメラ制御信号があった時に、前記第２ポートが連通され、前記マルチターンコイルが前記カメラ用サブボードにおけるカメラの集束コイルとして使用されるステップと、
カメラ制御信号がない時に、前記第１ポートが連通され、前記マルチターンコイルが前記ＮＦＣマッチング回路におけるＮＦＣアンテナとして使用されるステップと、を含むことを特徴とする方法。
【請求項６】
前記マルチターンコイルマルチプレクス回路がＣＰＵとＮＦＣチップとをさらに含み、前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記カメラ制御信号があった時に、前記第２ポートが連通され、前記マルチターンコイルがカメラ用サブボードにおけるカメラの集束コイルとして使用されるステップが、
カメラ起動トリガーイベントが検出された時に、カメラ制御信号及び第２ポート連通信号が出力され、前記切替スイッチが前記第２ポート連通信号によって第２ポートに切替えられるために用いられるステップと、
前記カメラ制御信号が前記第２ポートによって前記カメラ用サブボードに送信され、前記カメラ用サブボードが前記カメラ制御信号によって前記マルチターンコイルに流している電流を調節するために用いられるステップとを含み、
前記カメラ制御信号がない時に、前記第１ポートが連通され、前記マルチターンコイルがＮＦＣマッチング回路におけるＮＦＣアンテナとして使用されるステップが、
カメラ停止トリガーイベントが検出された時に、カメラ制御信号の出力が停止されて、第１ポート連通信号が出力され、前記切替スイッチが前記第１ポート連通信号によって第１ポートに切替えられるために用いられるステップと、
前記ＮＦＣ制御信号が前記ＮＦＣチップに送信されて、前記ＮＦＣチップが前記ＮＦＣ制御信号によってＮＦＣ信号を生成するために用いられるステップと、
前記ＮＦＣ信号が前記第１ポートによってＮＦＣマッチング回路に送信され、前記ＮＦＣマッチング回路が前記ＮＦＣ信号によって前記マルチターンコイルの共振を調節するために用いられるステップとを含むことを特徴とする請求項５に記載の方法。
【請求項７】
前記マルチターンコイルがマザーボードに設けられたことを特徴とする請求項５又は請求項６に記載の方法。
【請求項８】
前記マルチターンコイルの長さがＮＦＣ動作周波数における電磁波の波長の１／４であることを特徴とする請求項５又は請求項６に記載の方法。
【請求項９】
マルチターンコイルと、切替スイッチと、近距離無線通信ＮＦＣマッチング回路と、カメラ用サブボードとを含み、
前記切替スイッチが共用ポートと、第１ポートと、第２ポートとを含み、
前記マルチターンコイルが前記共用ポートに接続され、前記ＮＦＣマッチング回路が前記第１ポートに接続され、前記カメラ用サブボードが前記第２ポートに接続され、
カメラ制御信号があった時に、前記第２ポートが連通され、前記マルチターンコイルが前記カメラ用サブボードにおけるカメラの集束コイルとして使用され、
カメラ制御信号がない時に、前記第１ポートが連通され、前記マルチターンコイルが前記ＮＦＣマッチング回路におけるＮＦＣアンテナとして使用されることを特徴とするモバイル装置。
【請求項１０】
ＣＰＵとＮＦＣチップとをさらに含み、
前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記ＮＦＣチップが前記ＮＦＣ制御信号によってＮＦＣ信号を生成するために用いられ、
カメラ起動トリガーイベントが検出された時に、前記ＣＰＵがカメラ制御信号及び第２ポート連通信号を出力して、前記切替スイッチが第２ポートに切替えられるように制御し、前記第２ポートが連通された時に、前記カメラ用サブボードが前記ＣＰＵから出力されたカメラ制御信号によって前記マルチターンコイルに流している電流を調節し、
カメラ停止トリガーイベントが検出された時に、前記ＣＰＵがカメラ制御信号の出力を停止し、第１ポート連通信号を出力して、前記切替スイッチが第１ポートに切替えられるように制御し、前記第１ポートが連通されたときに、前記ＮＦＣマッチング回路が前記ＮＦＣチップから出力されたＮＦＣ信号によって前記マルチターンコイルの共振を調節することを特徴とする請求項９に記載のモバイル装置。
【請求項１１】
前記マルチターンコイルがマザーボードに設けられたことを特徴とする請求項９又は請求項１０に記載のモバイル装置。
【請求項１２】
前記マルチターンコイルの長さがＮＦＣ動作周波数における電磁波の波長の１／４であることを特徴とする請求項９又は請求項１０に記載のモバイル装置。
【請求項１３】
マルチターンコイルマルチプレクス回路を含み、前記マルチターンコイルマルチプレクス回路がマルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続されている装置において、
１つ又は複数のプロセッサーと、
メモリと、
前記メモリに記憶されて、且つ、前記１つ又は複数のプロセッサーにより実行されるように配置された１つ又は複数のモジュールとをさらに含み、
前記１つ又は複数のモジュールが、
カメラ制御信号があった時に、第２ポートが連通され、マルチターンコイルがカメラ用サブボードにおけるカメラの集束コイルとして使用され、
カメラ制御信号がない時に、第１ポートが連通され、マルチターンコイルがＮＦＣマッチング回路におけるＮＦＣアンテナとして使用される、という機能を備えることを特徴とする装置。
【発明の詳細な説明】
【技術分野】
【０００１】
本開示が電子装置の技術分野に関し、特にマルチターンコイルマルチプレクス回路、マルチターンコイルマルチプレクス回路の制御方法、モバイル装置及び装置に関する。
【背景技術】
【０００２】
近距離無線通信ＮＦＣ（Ｎｅａｒ  Ｆｉｅｌｄ  Ｃｏｍｍｕｎｉｃａｔｉｏｎ）は、近接式識別及び通信技術であり、モバイル装置、大衆消費電子製品、パーソナルコンピュータ及びインテリジェントコントロールツールなどの装置の間で近距離無線通信を行うためのものである。ＮＦＣにより簡単で且つタッチコントロール式の相互通信の解決方法が提供され、ユーザーが簡単で且つ直感的に情報を交換し、コンテンツ及びサービスにアクセスすることができる。
【０００３】
ＮＦＣが無線通信技術であるため、当然、アンテナのサポートがないと、関連の通信機能を実現できない。ＮＦＣの動作周波数が１３．５６ＭＨｚであり、該周波数における電磁波の波長が非常に長く（約２２Ｍ）、且つ、ＮＦＣの要求によって情報のリード・ライトの距離を非常に短くする必要があり（約３〜５ｍｍ）、従って、ＮＦＣアンテナとしては、ＮＦＣの要求に適応するように、通常に磁界結合方式のコイルアンテナを採用する。
【０００４】
装置の外観デザインに対するユーザーの要求が高いので、現在、ＮＦＣアンテナが一般的には装置内に内設され、例えば、携帯電話のＮＦＣアンテナがバッテリーカバー或いはバッテリーに貼り付けられることが多く、且つ、ＮＦＣアンテナの接点によってＮＦＣアンテナがＮＦＣの無線周波数リンクに接続される。
【０００５】
但し、ＮＦＣアンテナが金属に近づいているので、金属の表面に渦電流が発生され、該渦電流の磁界によってＮＦＣアンテナの磁界が弱化されて、アンテナの性能に影響が与えられた。従って、通常にＮＦＣアンテナの下方に１層の磁性材料をさらに貼り付ける必要があり、ＮＦＣアンテナに発生した磁界がバッテリーに向かう方向において磁性材料のエリアに集められて、バッテリーなど金属を含有するデバイスの表面に到達しないので、金属の表面に発生した渦電流によりコイル本体の磁界が弱化されることが避けられた。
【０００６】
但し、上記のＮＦＣアンテナの統合方式によって、装置におけるバッテリーカバーの外観完全性が損害され、電子装置の外観デザインに影響が与えられたことだけではなく、より重要であるのは、ＮＦＣアンテナが接点によって装置のマザーボード上のＮＦＣ無線周波数リンクに接続されたので、バッテリーカバーの着脱回数の増加につれて、接点の接触性能が悪化されていき、これによって、ＮＦＣアンテナ性能も悪化されていくようになる。
【発明の概要】
【発明が解決しようとする課題】
【０００７】
本開示の実施例は、ＮＦＣアンテナ性能が使用回数の増加につれて悪化する問題を解決するように、ＮＦＣアンテナがマザーボードに設けられたマルチターンコイルマルチプレクス回路及びマルチターンコイルマルチプレクス回路の制御方法を提供した。
【課題を解決するための手段】
【０００８】
本開示の実施例における第１態様によると、マルチターンコイルマルチプレクス回路が提供され、前記マルチターンコイルマルチプレクス回路は、
マルチターンコイルと、切替スイッチと、近距離無線通信ＮＦＣマッチング回路と、カメラ用サブボードとを含み、
前記切替スイッチが共用ポートと、第１ポートと、第２ポートとを含み、
前記マルチターンコイルが前記共用ポートに接続され、前記ＮＦＣマッチング回路が前記第１ポートに接続され、前記カメラ用サブボードが前記第２ポートに接続され、
カメラ制御信号があった時に、前記第２ポートが連通され、前記マルチターンコイルが前記カメラ用サブボードにおけるカメラの集束コイルとして使用され、カメラ制御信号がない時に、前記第１ポートが連通され、前記マルチターンコイルが前記ＮＦＣマッチング回路におけるＮＦＣアンテナとして使用される。
【０００９】
また、前記マルチターンコイルマルチプレクス回路は、
ＣＰＵとＮＦＣチップとをさらに含み、
前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記ＮＦＣチップが前記ＮＦＣ制御信号によってＮＦＣ信号を生成するために用いられ、
カメラ起動トリガーイベントが検出された時に、前記ＣＰＵがカメラ制御信号及び第２ポート連通信号を出力して、前記切替スイッチが第２ポートに切替えられるように制御し、前記第２ポートが連通された時に、前記カメラ用サブボードが前記ＣＰＵから出力されたカメラ制御信号によって前記マルチターンコイルに流している電流を調節し、
カメラ停止トリガーイベントが検出された時に、前記ＣＰＵがカメラ制御信号の出力を停止し、第１ポート連通信号を出力して、前記切替スイッチが第１ポートに切替えられるように制御し、前記第１ポートが連通された時に、前記ＮＦＣマッチング回路が前記ＮＦＣチップから出力されたＮＦＣ信号によって前記マルチターンコイルの共振を調節することが好ましい。
【００１０】
また、前記マルチターンコイルがマザーボードに設けられたことが好ましい。
【００１１】
また、前記マルチターンコイルの長さがＮＦＣ動作周波数における電磁波の波長の１／４であることが好ましい。
【００１２】
本開示の実施例における第２態様によると、マルチターンコイルマルチプレクス回路の制御方法が提供され、前記マルチターンコイルマルチプレクス回路がマルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続され、
前記方法は、
カメラ制御信号があった時に、前記第２ポートが連通され、前記マルチターンコイルがカメラ用サブボードにおけるカメラの集束コイルとして使用されるステップと、
カメラ制御信号がない時に、前記第１ポートが連通され、前記マルチターンコイルがＮＦＣマッチング回路におけるＮＦＣアンテナとして使用されるステップと、を含む。
【００１３】
また、前記マルチターンコイルマルチプレクス回路がＣＰＵとＮＦＣチップとをさらに含み、前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記カメラ制御信号があった時に、前記第２ポートが連通され、前記マルチターンコイルがカメラ用サブボードにおけるカメラの集束コイルとして使用されるステップが、
カメラ起動トリガーイベントが検出された時に、カメラ制御信号及び第２ポート連通信号が出力され、前記切替スイッチが前記第２ポート連通信号によって第２ポートに切替えられるために用いられるステップと、
前記カメラ制御信号が前記第２ポートによって前記カメラ用サブボードに送信され、前記カメラ用サブボードが前記カメラ制御信号によって前記マルチターンコイルに流している電流を調節するために用いられるステップとを含み、
前記カメラ制御信号がない時に、前記第１ポートが連通され、前記マルチターンコイルがＮＦＣマッチング回路におけるＮＦＣアンテナとして使用されるステップが、
カメラ停止トリガーイベントが検出された時に、カメラ制御信号の出力が停止されて、第１ポート連通信号が出力され、前記切替スイッチが前記第１ポート連通信号によって第１ポートに切替えられるために用いられるステップと、
前記ＮＦＣ制御信号が前記ＮＦＣチップに送信されて、前記ＮＦＣチップが前記ＮＦＣ制御信号によってＮＦＣ信号を生成するために用いられるステップと、
前記ＮＦＣ信号が前記第１ポートによってＮＦＣマッチング回路に送信され、前記ＮＦＣマッチング回路が前記ＮＦＣ信号によって前記マルチターンコイルの共振を調節するために用いられるステップとを含むことが好ましい。
【００１４】
また、前記マルチターンコイルがマザーボードに設けられたことが好ましい。
【００１５】
また、前記マルチターンコイルの長さがＮＦＣ動作周波数における電磁波の波長の１／４であることが好ましい。
【００１６】
本開示の実施例による第３態様によると、モバイル装置が提供され、前記モバイル装置は、
マルチターンコイルと、切替スイッチと、近距離無線通信ＮＦＣマッチング回路と、カメラ用サブボードとを含み、
前記切替スイッチが共用ポートと、第１ポートと、第２ポートとを含み、
前記マルチターンコイルが前記共用ポートに接続され、前記ＮＦＣマッチング回路が前記第１ポートに接続され、前記カメラ用サブボードが前記第２ポートに接続され、
カメラ制御信号があった時に、前記第２ポートが連通され、前記マルチターンコイルがカメラ用サブボードにおけるカメラの集束コイルとして使用され、
カメラ制御信号がない時に、前記第１ポートが連通され、前記マルチターンコイルがＮＦＣマッチング回路におけるＮＦＣアンテナとして使用される。
【００１７】
また、前記モバイル装置は、
ＣＰＵとＮＦＣチップとをさらに含み、
前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記ＮＦＣチップが前記ＮＦＣ制御信号によってＮＦＣ信号を生成するために用いられ、
カメラ起動トリガーイベントが検出された時に、前記ＣＰＵがカメラ制御信号及び第２ポート連通信号を出力して、前記切替スイッチが第２ポートに切替えられるように制御し、前記第２ポートが連通された時に、前記カメラ用サブボードが前記ＣＰＵから出力されたカメラ制御信号によって前記マルチターンコイルに流している電流を調節し、
カメラ停止トリガーイベントが検出された時に、前記ＣＰＵがカメラ制御信号の出力を停止し、第１ポート連通信号を出力して、前記切替スイッチが第１ポートに切替えられるように制御し、前記第１ポートが連通されたときに、前記ＮＦＣマッチング回路が前記ＮＦＣチップから出力されたＮＦＣ信号によって前記マルチターンコイルの共振を調節することが好ましい。
【００１８】
また、前記マルチターンコイルがマザーボードに設けられたことが好ましい。
【００１９】
また、前記マルチターンコイルの長さがＮＦＣ動作周波数における電磁波の波長の１／４であることが好ましい。
【００２０】
本開示の実施例における第４態様によると、装置が提供され、前記装置は、マルチターンコイルマルチプレクス回路を含み、前記マルチターンコイルマルチプレクス回路がマルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続され、前記装置は、
１つ又は複数のプロセッサーと、
メモリと、
前記メモリに記憶されて、且つ、前記１つ又は複数のプロセッサーにより実行されるように配置された１つ又は複数のモジュールとをさらに含み、
前記１つ又は複数のモジュールが、
カメラ制御信号があった時に、第２ポートが連通され、マルチターンコイルがカメラ用サブボードにおけるカメラの集束コイルとして使用され、
カメラ制御信号がない時に、第１ポートが連通され、マルチターンコイルがＮＦＣマッチング回路におけるＮＦＣアンテナとして使用される。
【００２１】
本開示の実施例に提供された技術は、下記のような有益な効果を含む。
【００２２】
本開示の実施例におけるＮＦＣアンテナとカメラの集束コイルとが共用されて、１つのものが複数の用途を有するので、そのうちの一部の生産工程が省略されて、生産の効率が向上されたとともに、生産のための人工、材料コストも節約された。
【００２３】
本開示の実施例においてＮＦＣアンテナがマザーボードに直接に統合されて、バッテリーカバーの着脱によるＮＦＣアンテナの接点の接触不良が避けられて、ＮＦＣアンテナの安定性が増加されたとともに、本開示の実施例において装置のバッテリーカバー或はバッテリーに貼り付けられるＮＦＣアンテナが省略されたので、その外観の完全性が維持され、より美観になる。
【００２４】
理解すべきは、上記の一般的な説明及び後述の詳細な説明は、例示及び解釈のためのものだけであり、本発明を限定するためのものではない。
【図面の簡単な説明】
【００２５】
ここの図面が明細書に取込まれて本明細書の一部になり、本発明に合致した実施例を示すとともに、明細書と共に本発明の原理を解釈するために用いられる。
【図１】１つの例示するための実施例によって示されたマルチターンコイルマルチプレクス回路の第１実施例の構造概略図である。
【図２】１つの例示するための実施例によって示されたマルチターンコイルマルチプレクス回路の第２実施例の構造概略図である。
【図３】１つの例示するための実施例によって示されたマルチターンコイルマルチプレクス回路の制御方法の実施例のステップフローチャートである。
【発明を実施するための形態】
【００２６】
本開示の実施例の上記の目的、特徴及びメリットをより明瞭に且つ分かりやすくするために、以下、図面及び実施の形態を結合しながら本開示の実施例をさらに詳細に説明する。
【００２７】
本開示の実施例の１つの特徴的な構想としては、マルチターンコイルに対する合理的な配置によって、カメラのピント合せ機能及びＮＦＣアンテナの機能を同時に満足できることである。
【００２８】
現在、例えばスマートフォン、ＰＤＡなど、ＮＦＣとカメラとが同時に統合された装置が多くなって来て、ユーザーが装置に搭載されたカメラを利用して写真を撮り、或いは録画する時に、カメラに対して被写体とカメラとの間の距離によってそのピント距離を調節する必要があり、即ち、その結像のピントがちょうどカメラの感光センサーにあるようにカメラの集束レンズを移動する必要がある。カメラがピント距離を調節する過程としては、カメラの集束コイルに流す電流の強弱を変更することにより、該コイルに発生された磁界の強度の大きさが調整され、さらに、集束コイルに構成された電磁石とカメラに統合された永久磁石との間の相互作用力が変更されることにより、カメラの集束レンズと感光センサーとの距離を変更する機能が実現されて、ピント合せの目的が達成される。
【００２９】
ＮＦＣアンテナは、本質的にはループアンテナであり、その総計長さがＮＦＣ動作周波数における電磁波の波長の１／４に近く、カメラの集束コイルの総計長さがこの長さに近いである時に、ＮＦＣアンテナとして使用することも可能である。ＮＦＣアンテナの共振周波数は、主にＮＦＣアンテナの長さにより決められるが、ＮＦＣアンテナの共振周波数は、一般的には同調回路を追加することにより調節されるので、上記の長さの誤差が大体数ｍｍの範囲内であれば許容することができる。
【００３０】
また、ユーザーがＮＦＣにより相互通信とカメラとが同時に使用される確率は非常に少なく、マルチターンコイルの共用は装置の正常な使用にあまり影響しない。
【００３１】
図１を参照して、該図面には本開示の実施例によるマルチターンコイルマルチプレクス回路の第１実施例の構造概略図が示され、該マルチターンコイルマルチプレクス回路は、
マルチターンコイル１００と、切替スイッチ１０１と、近距離無線通信ＮＦＣマッチング回路１０２と、カメラ用サブボード１０３とを含み、
その中に、切替スイッチが共用ポートと、第１ポートと、第２ポートとを含み、
マルチターンコイルが共用ポートに接続され、ＮＦＣマッチング回路が第１ポートに接続されて、カメラ用サブボードが第２ポートに接続され、
カメラ制御信号があった時に、第２ポートが連通され、マルチターンコイルがカメラ用サブボードにおけるカメラの集束コイルとして使用されるが、カメラ制御信号がない時に、第１ポートが連通され、マルチターンコイルがＮＦＣマッチング回路におけるＮＦＣアンテナとして使用される。
【００３２】
本開示の実施例における１つの好ましい例示において、切替スイッチを二極双投式スイッチにしても可能である。
【００３３】
マルチターンコイルが該二極双投式スイッチの共通端に接続され、ＮＦＣマッチング回路が該二極双投式スイッチの第１ポートに接続され、カメラ用サブボードが該二極双投式スイッチの第２ポートに接続されている。カメラが作動しない静的条件で、即ち、カメラ制御信号がなく、カメラ制御信号が検出されていない時に、二極双投式スイッチのコンタクトブレードが第１ポートに接続されて、マルチターンコイルがＮＦＣマッチング回路に接続されて、マルチターンコイルがＮＦＣアンテナとして使用されるが、カメラが作動し始まり、即ちカメラ制御信号があり、カメラ制御信号が検出された時に、二極双投式スイッチのコンタクトブレードが第２ポートに切替えられて、マルチターンコイルがカメラ用サブボードに接続されて、集束コイルがカメラの集束コイルとして使用されて、ピント距離を調節するために用いられる。カメラの作動が停止された後、即ち、カメラ制御信号の出力が停止された後、カメラ制御信号が検出されていない時に、二極双投式スイッチのコンタクトブレードが再び第１ポートに接続されて、マルチターンコイルがＮＦＣマッチング回路に接続されるようになる。
【００３４】
本開示の実施例におけるＮＦＣアンテナとカメラの集束コイルとが共用されて、１つのものが複数の用途を有するので、そのうちの一部の生産工程が省略されて、生産の効率が向上されたとともに、生産のための人工、材料コストも節約された。
【００３５】
本開示の実施例における１つの好ましい例示において、マルチターンコイルがマザーボードに設けられたことが可能である。
【００３６】
理解すべきは、該マザーボードは、モバイル装置、大衆消費電子製品、パーソナルコンピュータ及びインテリジェントコントロールツールなどのＮＦＣ及びカメラが統合された装置のマザーボードを利用することができる。
【００３７】
本開示の実施例において、ＮＦＣアンテナがマザーボードに直接に統合されて、バッテリーカバーの着脱によるＮＦＣアンテナの接点の接触不良が避けられて、ＮＦＣアンテナの安定性が増加されたとともに、本開示の実施例において、装置のバッテリーカバー或はバッテリーに貼り付けられるＮＦＣアンテナが省略されたので、その外観の完全性が維持され、より美観を向上させることができる。
【００３８】
本開示の実施例における１つの好ましい例示において、マルチターンコイルの長さがＮＦＣ動作周波数における電磁波の波長の１／４であることが可能である。
【００３９】
アンテナの輻射原理から分かるように、アンテナの長さが波長の１／４である時に、アンテナが該周波数で共振を起こし、この時にアンテナの性能が一番よくなる。
【００４０】
理論的には、自由空間において電磁波の伝播速度が光速と同じであり、即ち、電磁波の波速が３＊１０＾８ｍ／ｓであり、電磁波の波長が電磁波の波速をその周波数で割ったもので、即ち、波長が３＊１０＾８／（１３．５６＊１０＾６）＝２２．１ｍとなる。このため、自由空間におけるＮＦＣアンテナの長さが２２．１／４＝５．５２５ｍとなる。
【００４１】
実際の応用において、高誘電率の材料でＮＦＣアンテナを製作することによりその長さを短縮可能であり、或いは同調回路を追加して１つのコイルの共振周波数をＮＦＣの動作周波数に調節することができる。
【００４２】
ＮＦＣアンテナにおいて、その性能に対する主な影響要素がＮＦＣアンテナの長さである。他に、その性能に対する影響要素が電流、巻き数などをさらに含むが、これらの影響要素による影響効果はあまり大きくない。実際の使用において、ＮＦＣアンテナの総合的な効果が同調回路によって調節可能である。従って、本開示の実施例におけるマルチターンコイルは、ＮＦＣアンテナの性能要求によってマルチターンコイルの長さを選択できるとともに、集束コイルの他の制限条件によって、例えば、マルチターンコイルの巻き数、太さなどのバラメーターを確定できる。
【００４３】
図２を参照して、該図面には本開示の実施例におけるマルチターンコイルマルチプレクス回路の第２実施例の構造概略図が示されて、該マルチターンコイルマルチプレクス回路は、
マルチターンコイル２００と、切替スイッチ２０１と、近距離無線通信ＮＦＣマッチング回路２０２と、カメラ用サブボード２０３と、ＣＰＵ２０４と、ＮＦＣチップ２０５とを含む。
【００４４】
その中に、切替スイッチが共用ポートと、第１ポートと、第２ポートとを含む。
【００４５】
マルチターンコイルが共用ポートに接続され、ＮＦＣマッチング回路が第１ポートに接続され、カメラ用サブボードが第２ポートに接続されているが、ＣＰＵがＮＦＣチップ及びカメラ用サブボードにそれぞれ接続され、ＮＦＣチップがＮＦＣマッチング回路に接続されている。
【００４６】
ＣＰＵは、ＮＦＣ制御信号、カメラ制御信号及びスイッチ制御信号を出力するために用いられ、その中に、スイッチ制御信号が第１ポート連通信号と第２ポート連通信号とを含む。
【００４７】
ＮＦＣチップがＮＦＣ制御信号によってＮＦＣ信号を生成するために用いられる。
【００４８】
カメラ起動トリガーイベントが検出された時に、ＣＰＵがカメラ制御信号及び第２ポート連通信号を出力して、切替スイッチが第２ポートに切替えられるように制御し、第２ポートが連通された時に、カメラ用サブボードがＣＰＵから出力されたカメラ制御信号によってマルチターンコイルに流している電流を調節することができる。
【００４９】
カメラ停止トリガーイベントが検出された時に、ＣＰＵがカメラ制御信号の出力を停止し、第１ポート連通信号を出力して、切替スイッチが第１ポートに切替えられるように制御し、第１ポートが連通された時に、ＮＦＣマッチング回路がＣＰＵから出力されたＮＦＣ信号によってマルチターンコイルの共振を調節することができる。
【００５０】
理解すべきは、本開示の実施例における切替スイッチのデフォルト状態としてはＮＦＣマッチング回路に接続されていることになり、即ち、マルチターンコイルのデフォルト状態としてはＮＦＣアンテナとして使用されることになる。
【００５１】
カメラ制御信号が生成された時に、例えば、ユーザーが写真を撮る時に、カメラ起動トリガーイベントとしては、ユーザーが操作インターフェースにおいてカメラのアイコンなどをクリックする動作によってカメラが起動されることであり、該アイコンなどをクリックする動作によって、ＣＰＵに操作コマンドが送信され、ＣＰＵは、切替スイッチがマルチターンコイルをカメラ用サブボードに接続するように切替えるように制御して、該マルチターンコイルが集束コイルとして使用される。カメラが起動された時に、短い起動の応答時間が必要であるので、この時間内に、マルチターンコイルの切替えを完成でき、装置の正常な使用に影響を与えない。カメラ停止トリガーイベントとしては、クローズボタンなどをクリックすることであり、ユーザーが写真を撮ることが終わり、カメラを停止する時に、同様にＣＰＵに操作コマンドが送信され、ＣＰＵは、切替スイッチがマルチターンコイルをＮＦＣマッチング回路に再び接続するように切替えるように制御する。
【００５２】
ユーザーの視点からみれば、ＮＦＣ交互通信を使用する確率がカメラを使用する確率より全体的にはずっと多く、ユーザーに便利に使用されるために、本開示の実施例においてマルチターンコイルがＮＦＣアンテナとして使用されることがデフォルトされて、必要に応じてカメラ用サブボードに接続されて、集束コイルとして使用される。
【００５３】
勿論、上記のマルチターンコイルのデフォルトな使用態様が例示とされるだけであり、本開示の実施例を実施する時に、実際の状況によって他のマルチターンコイルのデフォルトな使用態様も設置可能であり、例えば、マルチターンコイルがカメラの集束コイルとして使用されることをデフォルトするように設置することも可能である。必要に応じて、ＮＦＣマッチング回路に接続されることが可能である。さらに、例えば、マルチターンコイルをＮＦＣマッチング回路及びカメラ用サブボードに接続しないことをデフォルトするように設置可能である。必要な時に、ＮＦＣマッチング回路或いはカメラ用サブボードに接続されることが可能であるが、明細書の内容に限られるので、その説明は、本明細書においてここで省略される。
【００５４】
本開示の実施例における１つの好ましい例示において、マルチターンコイルがマザーボードに設けられたことが可能である。
【００５５】
本開示の実施例における１つの好ましい例示において、マルチターンコイルの長さがＮＦＣ動作周波数における電磁波波長の１／４であることが可能である。
【００５６】
同じ発明の構想に基づくものとするが、図３を参照して、該図面には本開示の実施例におけるマルチターンコイルマルチプレクス回路の制御方法の実施例のステップフローチャートを示す。本開示の実施例において、マルチターンコイルマルチプレクス回路がマルチターンコイルと、切替スイッチと、近距離無線通信ＮＦＣマッチング回路と、カメラ用サブボードとを含み、その中に、切替スイッチが共用ポートと、第１ポートと、第２ポートとを含み、マルチターンコイルが共用ポートに接続され、ＮＦＣマッチング回路が第１ポートに接続され、カメラ用サブボードが第２ポートに接続されている。
【００５７】
本開示の実施例は、
カメラ制御信号があった時に、第２ポートが連通され、マルチターンコイルがカメラ用サブボードにおけるカメラの集束コイルとして使用されるステップ３０１と、
カメラ制御信号がない時に、第１ポートが連通され、マルチターンコイルがＮＦＣマッチング回路におけるＮＦＣアンテナとして使用されるステップ３０２と、を含む。
【００５８】
本開示の１つの好ましい実施例において、マルチターンコイルマルチプレクス回路がＣＰＵとＮＦＣチップとをさらに含み、その中に、ＣＰＵがＮＦＣチップ及びカメラ用サブボードにそれぞれ接続されて、ＮＦＣチップがＮＦＣマッチング回路に接続されている。
【００５９】
ＣＰＵが、ＮＦＣ制御信号、カメラ制御信号及びスイッチ制御信号を出力するために用いられて、その中に、スイッチ制御信号が第１ポート連通信号と第２ポート連通信号とを含む。
【００６０】
本開示の実施例において、ステップ３０１は、
カメラ起動トリガーイベントが検出された時に、カメラ制御信号及び第２ポート連通信号が出力されて、切替スイッチが第２ポート連通信号によって第２ポートに切替えられるサブステップ３０１１と、
カメラ制御信号が第２ポートによってカメラ用サブボードに送信され、カメラ用サブボードがカメラ制御信号によってマルチターンコイルに流している電流を調節するために用いられるサブステップ３０１２と、をさらに含む。
【００６１】
ステップ３０２は、
カメラ停止トリガーイベントが検出された時に、カメラ制御信号の出力が停止され、第１ポート連通信号が出力されて、切替スイッチが第１ポート連通信号によって第１ポートに切替えられるために用いられるサブステップ３０２１と、
ＮＦＣ制御信号がＮＦＣチップに送信され、ＮＦＣチップがＮＦＣ制御信号によってＮＦＣ信号を生成するために用いられるサブステップ３０２２と、
ＮＦＣ信号が第１ポートによってＮＦＣマッチング回路に送信され、ＮＦＣマッチング回路がＮＦＣ信号によってマルチターンコイルの共振を調節するために用いられるサブステップ３０２３と、をさらに含む。
【００６２】
本開示の実施例における１つの好ましい例示において、マルチターンコイルがマザーボードに設けられたことが可能である。
【００６３】
本開示の実施例における１つの好ましい例示において、マルチターンコイルの長さがＮＦＣ動作周波数における電磁波の波長の１／４であることが可能である。
【００６４】
本開示の実施例におけるＮＦＣアンテナとカメラの集束コイルとが共用されて、１つのものが複数の用途を有するので、そのうちの一部の生産工程が省略されて、生産の効率が向上されたとともに、生産のための人工、材料コストも節約された。
【００６５】
本開示の実施例においてＮＦＣアンテナがマザーボードに直接に統合されて、バッテリーカバーの着脱によるＮＦＣアンテナの接点の接触不良が避けられて、ＮＦＣアンテナの安定性が増加されたとともに、本開示の実施例において装置のバッテリーカバー或はバッテリーに貼り付けられるＮＦＣアンテナが省略されたので、その外観の完全性が維持され、より美観を向上させることができる。
【００６６】
方法の実施例としては、マルチターンコイルマルチプレクス回路の実施例とほぼ類似するので、説明が比較的に簡単であり、関連部分に関してマルチターンコイルマルチプレクス回路の実施例に対する説明を参照すればよい。
【００６７】
説明すべきは、方法の実施例としては、簡単に説明するために、それを一系列の動作の組み合わせとして説明したが、当業者としては、本開示が説明された動作順序に限定されなく、それが、本開示に基づいて、一部のステップが他の順序を採用でき、或いは同時に行うこともできると分かるべき。次に、当業者としては、明細書に記載の実施例が全て好ましい実施例に属し、係る動作及びユニットが必ずしも本開示の必要なものであると限らない。
【００６８】
本開示の実施例にモバイル装置が提供され、該モバイル装置は、
マルチターンコイルと、切替スイッチと、近距離無線通信ＮＦＣマッチング回路と、カメラ用サブボードとを含む。
【００６９】
その中に、切替スイッチが共用ポートと、第１ポートと、第２ポートとを含む。
【００７０】
マルチターンコイルが共用ポートに接続され、ＮＦＣマッチング回路が第１ポートに接続され、カメラ用サブボードが第２ポートに接続されている。
【００７１】
カメラ制御信号があった時に、第２ポートが連通され、マルチターンコイルがカメラ用サブボードにおけるカメラの集束コイルとして使用されるが、カメラ制御信号がない時に、第１ポートが連通され、マルチターンコイルがＮＦＣマッチング回路におけるＮＦＣアンテナとして使用される。
【００７２】
本開示の１つの好ましい実施例において、該モバイル装置は、
ＣＰＵとＮＦＣチップとをさらに含む。
【００７３】
その中に、ＣＰＵがＮＦＣチップ及びカメラ用サブボードにそれぞれ接続され、ＮＦＣチップがＮＦＣマッチング回路に接続されている。
【００７４】
ＣＰＵは、ＮＦＣ制御信号、カメラ制御信号及びスイッチ制御信号を出力するために用いられ、その中に、スイッチ制御信号が第１ポート連通信号と第２ポート連通信号とを含む。
【００７５】
ＮＦＣチップは、ＮＦＣ制御信号によってＮＦＣ信号を生成するために用いられる。
【００７６】
カメラ起動トリガーイベントが検出された時に、ＣＰＵがカメラ制御信号及び第２ポート連通信号を出力して、切替スイッチが第２ポートに切替えられるように制御し、第２ポートが連通された時に、カメラ用サブボードがＣＰＵから出力されたカメラ制御信号によってマルチターンコイルに流している電流を調節することができる。
【００７７】
カメラ停止トリガーイベントが検出された時に、ＣＰＵがカメラ制御信号の出力を停止さて、第１ポート連通信号を出力して、切替スイッチが第１ポートに切替えられるように制御し、第１ポートが連通された時に、ＮＦＣマッチング回路がＮＦＣチップから出力されたＮＦＣ信号によってマルチターンコイルの共振を調節することができる。
【００７８】
また、マルチターンコイルがマザーボードに設けられたことが好ましい。
【００７９】
また、マルチターンコイルの長さがＮＦＣ動作周波数における電磁波の波長の１／４であることが好ましい。
【００８０】
本開示の実施例におけるＮＦＣアンテナとカメラの集束コイルとが共用されて、１つのものが複数の用途を有するので、そのうちの一部の生産工程が省略されて、生産の効率が向上されたとともに、生産のための人工、材料コストも節約された。
【００８１】
本開示の実施例においてＮＦＣアンテナがマザーボードに直接に統合されて、バッテリーカバーの着脱によるＮＦＣアンテナの接点の接触不良が避けられて、ＮＦＣアンテナの安定性が増加されたとともに、本開示の実施例において装置のバッテリーカバー或はバッテリーに貼り付けられるＮＦＣアンテナが省略されたので、その外観の完全性が維持され、より美観を向上させることができる。
【００８２】
モバイル装置の実施例としては、マルチターンコイルマルチプレクス回路の実施例とほぼ類似するので、説明が比較的に簡単であり、関連部分に関してマルチターンコイルマルチプレクス回路の実施例に対する説明を参照すればよい。
【００８３】
本開示の実施例には、マルチターンコイルと、切替スイッチと、近距離無線通信ＮＦＣマッチング回路と、カメラ用サブボードとを含むマルチターンコイルマルチプレクス回路を包括する装置が提供され、その中に、切替スイッチが共用ポートと、第１ポートと、第２ポートとを含み、マルチターンコイルが共用ポートに接続され、ＮＦＣマッチング回路が第１ポートに接続され、カメラ用サブボードが第２ポートに接続され、該装置は、
１つ又は複数のプロセッサーと、
メモリと、
該メモリに記憶されて、且つ該１つ又は複数のプロセッサーにより実行されるように配置された１つ又は複数のモジュールとを含み、その中に、該１つ又は複数のモジュールは、
カメラ制御信号があった時に、第２ポートが連通され、マルチターンコイルがカメラ用サブボードにおけるカメラの集束コイルとして使用され、
カメラ制御信号がない時に、第１ポートが連通され、マルチターンコイルがＮＦＣマッチング回路におけるＮＦＣアンテナとして使用されるという機能を備える。
【００８４】
１つの実施例において、マルチターンコイルマルチプレクス回路がＣＰＵとＮＦＣチップとをさらに含み、その中に、ＣＰＵがＮＦＣチップ及びカメラ用サブボードにそれぞれ接続され、ＮＦＣチップがＮＦＣマッチング回路に接続され、該ＣＰＵが、ＮＦＣ制御信号、カメラ制御信号及びスイッチ制御信号を出力するために用いられ、その中に、スイッチ制御信号が第１ポート連通信号と第２ポート連通信号とを含み、該１つ又は複数のモジュールは、
カメラ起動トリガーイベントが検出された時に、カメラ制御信号及び第２ポート連通信号が出力され、切替スイッチが第２ポート連通信号によって第２ポートに切替えられ、
カメラ制御信号が第２ポートによってカメラ用サブボードに送信され、カメラ用サブボードがカメラ制御信号によってマルチターンコイルに流している電流を調節するために用いられ、
カメラ停止トリガーイベントが検出された時に、カメラ制御信号の出力が停止され、第１ポート連通信号が出力されて、切替スイッチが第１ポート連通信号によって第１ポートに切替えられるために用いられ、
ＮＦＣ制御信号がＮＦＣチップに送信され、ＮＦＣチップがＮＦＣ制御信号によってＮＦＣ信号を生成するために用いられ、
ＮＦＣ信号が第１ポートによってＮＦＣマッチング回路に送信され、ＮＦＣマッチング回路がＮＦＣ信号によってマルチターンコイルの共振を調節するために用いられる、という機能を備える。
【００８５】
１つの実施例において、マルチターンコイルがマザーボードに設けられたことが可能である。
【００８６】
１つの実施例において、マルチターンコイルの長さがＮＦＣ動作周波数における電磁波の波長の１／４であることが可能である。
【００８７】
本開示の実施例におけるＮＦＣアンテナとカメラの集束コイルとが共用されて、１つのものが複数の用途を有するので、そのうちの一部の生産工程が省略されて、生産の効率が向上されたとともに、生産のための人工、材料コストも節約された。
【００８８】
本開示の実施例においてＮＦＣアンテナがマザーボードに直接に統合されて、バッテリーカバーの着脱によるＮＦＣアンテナの接点の接触不良が避けられて、ＮＦＣアンテナの安定性が増加されたとともに、本開示の実施例において装置のバッテリーカバー或はバッテリーに貼り付けられるＮＦＣアンテナが省略されたので、その外観の完全性が維持され、より美観を向上させることができる。
【００８９】
本開示の実施例には１つ又は複数のモジュール（ｐｒｏｇｒａｍｓ）が記憶された不揮発性読取可能な記憶媒体が提供され、該１つ又は複数のモジュールがマルチターンコイルマルチプレクス回路を有する装置に適用されて、該マルチターンコイルマルチプレクス回路がマルチターンコイルと、切替スイッチと、近距離無線通信ＮＦＣマッチング回路と、カメラ用サブボードとを含み、その中に、切替スイッチが共用ポートと、第１ポートと、第２ポートとを含み、マルチターンコイルが共用ポートに接続され、ＮＦＣマッチング回路が第１ポートに接続され、カメラ用サブボードが第２ポート接続され、該装置は、
カメラ制御信号があった時に、第２ポートが連通され、マルチターンコイルがカメラ用サブボードにおけるカメラの集束コイルとして使用され、
カメラ制御信号がない時に、第１ポートが連通され、マルチターンコイルがＮＦＣマッチング回路におけるＮＦＣアンテナとして使用される、というステップを含むコマンド（ｉｎｓｔｒｕｃｔｉｏｎｓ）を実行する。
【００９０】
１つの実施例において、マルチターンコイルマルチプレクス回路がＣＰＵとＮＦＣチップとをさらに含み、その中に、ＣＰＵがＮＦＣチップ及びカメラ用サブボードにそれぞれ接続され、ＮＦＣチップがＮＦＣマッチング回路に接続され、該ＣＰＵが、ＮＦＣ制御信号、カメラ制御信号及びスイッチ制御信号を出力するために用いられ、その中に、スイッチ制御信号が第１ポート連通信号と第２ポート連通信号とを含み、該１つ又は複数のモジュールは、
カメラ起動トリガーイベントが検出された時に、カメラ制御信号及び第２ポート連通信号が出力され、切替スイッチが第２ポート連通信号によって第２ポートに切替えられるために用いられ、
カメラ制御信号が第２ポートによってカメラ用サブボードに送信され、カメラ用サブボードがカメラ制御信号によってマルチターンコイルに流している電流を調節するために用いられ、
カメラ停止トリガーイベントが検出された時に、カメラ制御信号の出力が停止され、第１ポート連通信号が出力され、切替スイッチが第１ポート連通信号によって第１ポートに切替えられるために用いられ、
ＮＦＣ制御信号がＮＦＣチップに送信され、ＮＦＣチップがＮＦＣ制御信号によってＮＦＣ信号を生成するために用いられ、
ＮＦＣ信号が第１ポートによってＮＦＣマッチング回路に送信され、ＮＦＣマッチング回路がＮＦＣ信号によってマルチターンコイルの共振を調節するために用いられる、という機能を備える。
【００９１】
１つの実施例において、マルチターンコイルがマザーボードに設けられたことが可能である。
【００９２】
１つの実施例において、マルチターンコイルの長さがＮＦＣ動作周波数における電磁波の波長の１／４であることが可能である。
【００９３】
本明細書における各実施例は、全て漸進の方式を採用して説明されたが、何れの実施例でも同じく他の実施例と相違する部分を主にして説明したが、各実施例の間の同一又は類似する部分について互いに参照すればよい。
【００９４】
当業者として分かるべきは、本開示の実施例には方法、装置、或いはコンピュータプログラム製品が提供可能である。従って、本開示の実施例は、全部がハードウェアである実施例、全部がソフトウェアである実施例、或いはソフトウェアとハードウェアとが結合された実施例などの形式を採用可能である。且つ、本開示の実施例は、コンピュータ使用可能なプログラムコードを含有する１つ又は複数のコンピュータ使用可能な記憶媒体（磁気ディスクメモリ、ＣＤ−ＲＯＭ、光メモリなどを含むが、これらに限らない。）により実施されるコンピュータプログラム製品の形式を採用可能である。
【００９５】
本開示の実施例が本開示の実施例による方法、モバイル装置（システム）、及びコンピュータプログラム製品のフロチャート及び／或いはブロック図によって説明された。コンピュータプログラムコマンドでフロチャート及び／或いはブロック図における各ステップ及び／又はブロック、並びにフロチャート及び／或いはブロック図におけるステップ及び／或いはブロックの結合が実現されると理解すべき。１つの装置を生成するように、これらのコンピュータプログラムコマンドが汎用コンピュータ、専用コンピュータ、組込みプロセッサ或いは他のプログラマブルデータプロセッシングモバイル装置のプロセッサーに提供されることにより、コンピュータ或いは他のプログラマブルデータプロセッシングモバイル装置のプロセッサーによって実行されるコマンドによりフロチャートの１つのステップ或いは複数のステップ及び／或いはブロック図の１つのブロック或いは複数のブロックに指定されている機能を実現するために用いられる装置が生成された。
【００９６】
これらのコンピュータプログラムコマンドがコンピュータ或いは他のプログラマブルデータプロセッシングモバイル装置が特定な方式で作動するように導引できるコンピュータ読取可能なメモリに記憶されることも可能であり、該コンピュータ読取可能なメモリに記憶されているコマンドによりフロチャートの１つのステップ或いは複数のステップ及び／或いはブロック図の１つのブロック或いは複数のブロックに指定されている機能を実現するためのコマンド装置を含む製造品が生成される。
【００９７】
これらのコンピュータプログラムコマンドがコンピュータ或いは他のプログラマブルデータプロセッシングモバイル装置に搭載されても可能であり、コンピュータ或いは他のプログラマブルモバイル装置においてコンピュータで実現される動作を生成するように一系列の操作が実行されることにより、コンピュータ或いは他のプログラマブルモバイル装置に実行されるコマンドによって、フロチャートの１つのステップ或いは複数のステップ及び／或いはブロック図の１つのブロック或いは複数のブロックに指定されている機能を実現するためのステップが提供される。
【００９８】
本開示の実施例における好ましい実施例が既に説明されたが、当業者としては、一旦その基本的な創造性概念を了解したら、これらの実施例に対して他の変更や修正を行うことが可能である。従って、好ましい実施例及び本開示の実施例の範囲から逸脱しない全ての変更や修正が添付の特許請求の範囲に含まれるべきである。
【００９９】
最後に、さらに説明すべきは、本明細書において、例えば、第１や第２などのような関係用語が１つの存在物或いは操作と他の存在物或いは操作とを区別するためだけに用いられるが、これらの存在物或いは操作の間にこのような実際の関係或いは順番を必ずしも存在するとは限らない。且つ、用語である「包括」、「含む」或いは他の何れの変形体として非排他性のものも含むので、一系列の要素を含む過程、方法、物品或いはモバイル装置がこれらの要素を含むだけではなく、明確に挙げられていない他の要素も含み、或いはこのような過程、方法、物品或いはモバイル装置の固有な要素も含む。より多い制限がない場合、語句である「１つの・・・を含む」のように限定される要素として、前記要素を含む過程、方法、物品或いはモバイル装置においてさらに他の同様な要素も存在することを排除していない。
【０１００】
上記は、本開示の実施例に提供されたマルチターンコイルマルチプレクス回路、マルチターンコイルマルチプレクス回路の制御方法、モバイル装置及び装置について詳細に説明したが、本明細書には具体的な例示を使用して本開示の実施例の原理及び実施の形態に対して説明した。上記の実施例に対する説明は、本開示の実施例の方法及びその特徴的な思想を理解させるためのものである。その同時に、当業者としては、本開示の実施例の思想によって、具体的な実施の形態及び応用範囲において変更可能であり、上記のように、本明細書の内容が本開示の実施例に対する限定であると理解すべきでない。
【０１０１】
本願は、出願番号が２０１３１０２３１９６８．０で、出願日が２０１３年６月９日である中国特許出願に基づき優先権を主張し、当該中国特許出願のすべての内容を本願に援用する。
【図１】
2016501485.tif 000003
【図２】
2016501485.tif 000004
【図３】
2016501485.tif 000005
【手続補正書】
【提出日】平成27年5月22日(2015.5.22)
【手続補正１】
【補正対象書類名】特許請求の範囲
【補正対象項目名】全文
【補正方法】変更
【補正の内容】
【特許請求の範囲】
【請求項１】
マルチターンコイルと、切替スイッチと、近距離無線通信ＮＦＣマッチング回路と、カメラ用サブボードとを含み、
前記切替スイッチが共用ポートと、第１ポートと、第２ポートとを含み、
前記マルチターンコイルが前記共用ポートに接続され、前記ＮＦＣマッチング回路が前記第１ポートに接続され、前記カメラ用サブボードが前記第２ポートに接続され、
カメラ制御信号があった時に、前記第２ポートが連通され、前記マルチターンコイルが前記カメラ用サブボードにおけるカメラの集束コイルとして使用され、
カメラ制御信号がない時に、前記第１ポートが連通され、前記マルチターンコイルが前記ＮＦＣマッチング回路におけるＮＦＣアンテナとして使用されることを特徴とするマルチターンコイルマルチプレクス回路。
【請求項２】
ＣＰＵとＮＦＣチップとをさらに含み、
前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記ＮＦＣチップが前記ＮＦＣ制御信号によってＮＦＣ信号を生成するために用いられ、
カメラ起動トリガーイベントが検出された時に、前記ＣＰＵがカメラ制御信号及び第２ポート連通信号を出力して、前記切替スイッチが第２ポートに切替えられるように制御し、前記第２ポートが連通された時に、前記カメラ用サブボードが前記ＣＰＵから出力されたカメラ制御信号によって前記マルチターンコイルに流している電流を調節し、
カメラ停止トリガーイベントが検出された時に、前記ＣＰＵがカメラ制御信号の出力を停止し、第１ポート連通信号を出力して、前記切替スイッチが第１ポートに切替えられるように制御し、前記第１ポートが連通された時に、前記ＮＦＣマッチング回路が前記ＮＦＣチップから出力されたＮＦＣ信号によって前記マルチターンコイルの共振を調節することを特徴とする請求項１に記載のマルチターンコイルマルチプレクス回路。
【請求項３】
前記マルチターンコイルがマザーボードに設けられたことを特徴とする請求項１又は請求項２に記載のマルチターンコイルマルチプレクス回路。
【請求項４】
前記マルチターンコイルの長さがＮＦＣ動作周波数における電磁波の波長の１／４であることを特徴とする請求項１又は請求項２に記載のマルチターンコイルマルチプレクス回路。
【請求項５】
マルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続されているマルチターンコイルマルチプレクス回路の制御方法において、
カメラ制御信号があった時に、前記第２ポートが連通され、前記マルチターンコイルが前記カメラ用サブボードにおけるカメラの集束コイルとして使用されるステップと、
カメラ制御信号がない時に、前記第１ポートが連通され、前記マルチターンコイルが前記ＮＦＣマッチング回路におけるＮＦＣアンテナとして使用されるステップと、を含むことを特徴とする方法。
【請求項６】
前記マルチターンコイルマルチプレクス回路がＣＰＵとＮＦＣチップとをさらに含み、前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記カメラ制御信号があった時に、前記第２ポートが連通され、前記マルチターンコイルがカメラ用サブボードにおけるカメラの集束コイルとして使用されるステップが、
カメラ起動トリガーイベントが検出された時に、カメラ制御信号及び第２ポート連通信号が出力され、前記切替スイッチが前記第２ポート連通信号によって第２ポートに切替えられるために用いられるステップと、
前記カメラ制御信号が前記第２ポートによって前記カメラ用サブボードに送信され、前記カメラ用サブボードが前記カメラ制御信号によって前記マルチターンコイルに流している電流を調節するために用いられるステップとを含み、
前記カメラ制御信号がない時に、前記第１ポートが連通され、前記マルチターンコイルがＮＦＣマッチング回路におけるＮＦＣアンテナとして使用されるステップが、
カメラ停止トリガーイベントが検出された時に、カメラ制御信号の出力が停止されて、第１ポート連通信号が出力され、前記切替スイッチが前記第１ポート連通信号によって第１ポートに切替えられるために用いられるステップと、
前記ＮＦＣ制御信号が前記ＮＦＣチップに送信されて、前記ＮＦＣチップが前記ＮＦＣ制御信号によってＮＦＣ信号を生成するために用いられるステップと、
前記ＮＦＣ信号が前記第１ポートによってＮＦＣマッチング回路に送信され、前記ＮＦＣマッチング回路が前記ＮＦＣ信号によって前記マルチターンコイルの共振を調節するために用いられるステップとを含むことを特徴とする請求項５に記載の方法。
【請求項７】
前記マルチターンコイルがマザーボードに設けられたことを特徴とする請求項５又は請求項６に記載の方法。
【請求項８】
前記マルチターンコイルの長さがＮＦＣ動作周波数における電磁波の波長の１／４であることを特徴とする請求項５又は請求項６に記載の方法。
【請求項９】
マルチターンコイルと、切替スイッチと、近距離無線通信ＮＦＣマッチング回路と、カメラ用サブボードとを含み、
前記切替スイッチが共用ポートと、第１ポートと、第２ポートとを含み、
前記マルチターンコイルが前記共用ポートに接続され、前記ＮＦＣマッチング回路が前記第１ポートに接続され、前記カメラ用サブボードが前記第２ポートに接続され、
カメラ制御信号があった時に、前記第２ポートが連通され、前記マルチターンコイルが前記カメラ用サブボードにおけるカメラの集束コイルとして使用され、
カメラ制御信号がない時に、前記第１ポートが連通され、前記マルチターンコイルが前記ＮＦＣマッチング回路におけるＮＦＣアンテナとして使用されることを特徴とするモバイル装置。
【請求項１０】
ＣＰＵとＮＦＣチップとをさらに含み、
前記ＣＰＵが前記ＮＦＣチップ及び前記カメラ用サブボードにそれぞれ接続され、前記ＮＦＣチップが前記ＮＦＣマッチング回路に接続され、
前記ＣＰＵが、ＮＦＣ制御信号、カメラ制御信号及びスイッチ制御信号を出力するために用いられ、前記スイッチ制御信号が第１ポート連通信号と第２ポート連通信号とを含み、
前記ＮＦＣチップが前記ＮＦＣ制御信号によってＮＦＣ信号を生成するために用いられ、
カメラ起動トリガーイベントが検出された時に、前記ＣＰＵがカメラ制御信号及び第２ポート連通信号を出力して、前記切替スイッチが第２ポートに切替えられるように制御し、前記第２ポートが連通された時に、前記カメラ用サブボードが前記ＣＰＵから出力されたカメラ制御信号によって前記マルチターンコイルに流している電流を調節し、
カメラ停止トリガーイベントが検出された時に、前記ＣＰＵがカメラ制御信号の出力を停止し、第１ポート連通信号を出力して、前記切替スイッチが第１ポートに切替えられるように制御し、前記第１ポートが連通されたときに、前記ＮＦＣマッチング回路が前記ＮＦＣチップから出力されたＮＦＣ信号によって前記マルチターンコイルの共振を調節することを特徴とする請求項９に記載のモバイル装置。
【請求項１１】
前記マルチターンコイルがマザーボードに設けられたことを特徴とする請求項９又は請求項１０に記載のモバイル装置。
【請求項１２】
前記マルチターンコイルの長さがＮＦＣ動作周波数における電磁波の波長の１／４であることを特徴とする請求項９又は請求項１０に記載のモバイル装置。
【請求項１３】
マルチターンコイルマルチプレクス回路を含み、前記マルチターンコイルマルチプレクス回路がマルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続されている装置において、
１つ又は複数のプロセッサーと、
メモリと、
前記メモリに記憶されて、且つ、前記１つ又は複数のプロセッサーにより実行されるように配置された１つ又は複数のモジュールとをさらに含み、
前記１つ又は複数のモジュールが、
カメラ制御信号があった時に、第２ポートが連通され、マルチターンコイルがカメラ用サブボードにおけるカメラの集束コイルとして使用され、
カメラ制御信号がない時に、第１ポートが連通され、マルチターンコイルがＮＦＣマッチング回路におけるＮＦＣアンテナとして使用される、という機能を備えることを特徴とする装置。
【請求項１４】
プロセッサーに実行されることにより、請求項５〜８のいずれかに記載のパル値パターンコイルマルチプレ楠回路の制御方法を実現することを特徴とするプログラム。
【請求項１５】
請求項１４に記載のプログラムが記録された記録媒体。
【手続補正３】
【補正対象書類名】明細書
【補正対象項目名】０００１
【補正方法】変更
【補正の内容】
【０００１】
本開示が電子装置の技術分野に関し、特にマルチターンコイルマルチプレクス回路、マルチターンコイルマルチプレクス回路の制御方法、モバイル装置、装置、プログラム及び記録媒体に関する。
【手続補正４】
【補正対象書類名】明細書
【補正対象項目名】０００７
【補正方法】変更
【補正の内容】
【０００７】
本開示の実施例は、ＮＦＣアンテナ性能が使用回数の増加につれて悪化する問題を解決するように、ＮＦＣアンテナがマザーボードに設けられたマルチターンコイルマルチプレクス回路及びマルチターンコイルマルチプレクス回路の制御方法、プログラム及び記録媒体を提供した。
【手続補正５】
【補正対象書類名】明細書
【補正対象項目名】００２０
【補正方法】変更
【補正の内容】
【００２０】
本開示の実施例における第４態様によると、装置が提供され、前記装置は、マルチターンコイルマルチプレクス回路を含み、前記マルチターンコイルマルチプレクス回路がマルチターンコイルと、切替スイッチと、近距離無線通信ＮＦＣマッチング回路と、カメラ用サブボードとを含み、前記切替スイッチが共用ポートと、第１ポートと、第２ポートとを含み、前記マルチターンコイルが前記共用ポートに接続され、前記ＮＦＣマッチング回路が前記第１ポートに接続され、前記カメラ用サブボードが前記第２ポートに接続され、前記装置は、
１つ又は複数のプロセッサーと、
メモリと、
前記メモリに記憶されて、且つ、前記１つ又は複数のプロセッサーにより実行されるように配置された１つ又は複数のモジュールとをさらに含み、
前記１つ又は複数のモジュールが、
カメラ制御信号があった時に、第２ポートが連通され、マルチターンコイルがカメラ用サブボードにおけるカメラの集束コイルとして使用され、
カメラ制御信号がない時に、第１ポートが連通され、マルチターンコイルがＮＦＣマッチング回路におけるＮＦＣアンテナとして使用される。
本開示の実施例における第５態様によると、
プロセッサに実行されることにより、前記のマルチターンコイルマルチプレクス回路の制御方法を実現することを特徴とするプログラムが提供される。
本開示の実施例における第６態様によると、
前記のプログラムが記録された記録媒体が提供される。
【国際調査報告】
2016501485.tif 000006
2016501485.tif 000007
2016501485.tif 000008
2016501485.tif 000009